(57)【要約】【課題】照明体のサイズや形状の多様化に対して柔軟かつ適切に対応できるエレベーターかご室天井の照明装置を得る。【解決手段】光源２により照明される照明体３と、エレベーターかご室ＣＲの天井部分１に設けられ照明体３の下部を開口周縁Ｈａで支承する開口部Ｈと、照明体３をエレベーターかご室ＣＲの天井部分１に設けられた開口部Ｈの開口周縁Ｈａとの間で保持する伸縮性を示す軟質ビニール等の軟質樹脂部材８と、軟質樹脂部材８を天井部分１に固定する固定部材５，６，７，９とを備え、軟質樹脂部材８は、照明体３への保持装着状態で伸長して装着され、照明体３を収縮力により天井部分１に設けられた開口部Ｈの開口周縁Ｈａへ圧着固定する。【選択図】図２
2005170610.tif 000002
【特許請求の範囲】
【請求項１】
光源により照明される照明体と、前記照明体をエレベーターかご室の天井部分との間で保持する伸縮性を示す軟質樹脂部材と、前記軟質樹脂部材を天井部分に固定する固定部材とを備え、前記軟質樹脂部材は、前記照明体への保持装着状態で伸長して装着され、前記照明体を収縮力により天井部分へ圧着固定することを特徴とするエレベーターかご室天井の照明装置。
【請求項２】
光源により照明される照明体と、エレベーターかご室の天井部分に設けられ前記照明体の下部を開口周縁で支承する開口部と、前記照明体をエレベーターかご室の天井部分に設けられた前記開口部の開口周縁との間で保持する伸縮性を示す軟質樹脂部材と、前記軟質樹脂部材を天井部分に固定する固定部材とを備え、前記軟質樹脂部材は、前記照明体への保持装着状態で伸長して装着され、前記照明体を収縮力により天井部分に設けられた前記開口部の開口周縁へ圧着固定することを特徴とするエレベーターかご室天井の照明装置。
【発明の詳細な説明】
【技術分野】
【０００１】
この発明は、エレベーターかご室天井の照明装置、特に、光源により照明される照明体を有するエレベーターかご室天井の照明装置に関するものである。
【背景技術】
【０００２】
従来技術では、天井の照明体がアクリルを削り出し、ツバを設けて嵌め込む場合などは同材のアクリルの押さえ板で押さえてネジ止めしているが、照明体が球状や特殊な形状の場合は照明体の形状に合わせて箱形の押え板を一つずつネジ止めしている。
【０００３】
また、弾性を有するＭ字形状の押え金で照明体を固定する構成も提案されている（例えば、特許文献１参照）。
【０００４】
しかしながら、このような従来技術においては、押え板の寸法を照明体のサイズや形状に合わせて沢山の種類を製作する必要がある。また、照明体のそれぞれを個々に固定しなくてはならないので、吊天井裏面に照明体を固定するための溶植スタッドが多量に必要となる。
【０００５】
【特許文献１】特開平９−１０００８１号公報
【発明の開示】
【発明が解決しようとする課題】
【０００６】
この発明は、照明体のサイズや形状の多様化に対して柔軟かつ適切に対応できるエレベーターかご室天井の照明装置を得ようとするものである。
【課題を解決するための手段】
【０００７】
この発明に係るエレベーターかご室天井の照明装置では、光源により照明される照明体をエレベーターかご室の天井部分との間で保持する伸縮性を示す軟質樹脂部材と、前記軟質樹脂部材を天井部分に固定する固定部材とを備え、前記軟質樹脂部材は、前記照明体への保持装着状態で伸長して装着され、前記照明体を収縮力により天井部分へ圧着固定するものである。
【発明の効果】
【０００８】
この発明によれば、照明体のサイズや形状の多様化に対して柔軟かつ適切に対応できるエレベーターかご室天井の照明装置を得ることができる。
【発明を実施するための最良の形態】
【０００９】
実施の形態１．
この発明による実施の形態を図１から図５までについて説明する。図１は、この発明による実施の形態における構成についてエレベーターかご室内から出入口側を見た縦断面図である。図２は、この発明による実施の形態における吊天井部分の照明体を固定した構造を示す詳細縦断面図である。図３から図５までは、この発明による実施の形態における吊天井部分の照明体を固定した構造の例を示す詳細上面図である。
【００１０】
図１において、ドアＤＲ，床面ＦＬおよび操作パネルＰＢを備えたエレベーターかご室ＣＲに設けられた吊り天井１には、図２に示すように、光源により照明される照明体が設けられている。
【００１１】
図２は、図１に示すＡ部を拡大した詳細縦断面図である。図２において、エレベーターかご室ＣＲに設けられた吊り天井１には、照明体３を嵌め込むための穴Ｈが加工され、照明体３を固定するための溶植スタッド５が取付けされており、ビー玉やダイヤモンドカットされたような特殊形状の透明体からなる照明体３は外れないように軟質ビニール相当の板状樹脂部材で構成され自由に形状が変わる押え板８で覆い、その上から金属製の押え金具９を載せて溶植スタッド５に螺合するナット６および座金を用いてネジ止めするものである。
【００１２】
照明体３は吊り天井１に設けられた穴Ｈに嵌め込まれ、照明体３の球面等の周面下部は穴Ｈの上部円環状周縁Ｈａと接触している。透明または半透明の軟質ビニール相当の板状樹脂部材で構成された押え板８は僅かに伸縮が可能なものであって適切な伸縮性を示すものであり、照明体３を覆い吊り天井１との間で照明体３を保持するよう装着された状態では、押さえ板８の伸展方向に押さえ板８が伸長された状態で溶植スタッド５，ナット６，座金７，押え金具９等からなる固定部材によって固定され、この押さえ板８が収縮しようとする力によって、押さえ板８は照明体３を吊り天井１に設けられた穴Ｈの上部円環状周縁Ｈａに圧着し固定するものである。
【００１３】
照明体３は吊り天井１の上方に設けられた蛍光灯等の光源２によって照明される。軟質ビニール相当の板状樹脂部材で構成された押え板８を半透明にしておけば、照明体３を固定するための溶植スタッド５等の影が、かご室ＣＲ内から照明体３越しに映る不具合をなくすことができる。
【００１４】
そして、図３に示すように、複数の照明体３を溶植スタッド５，ナット６，座金７，押え金具９等からなる固定部材によって固定される共通の押さえ板８でまとめて保持するようにすることができる。
【００１５】
また、その場合に、図４または図５に示すように、溶植スタッド５，ナット６，座金７，押え金具９等からなるセットで構成される固定部材を適宜省略することもできる。
図４の例では、４個の照明体３が溶植スタッド５，ナット６，座金７，押え金具９等からなる５セットの固定部材によって固定される共通の押さえ板８でまとめて保持されている。
図５の例では、４個の照明体３が溶植スタッド５，ナット６，座金７，押え金具９等からなる４セットの固定部材によって固定される共通の押さえ板８でまとめて保持されている。
【００１６】
この発明による実施の形態では、特殊形状の照明体３を固定するために軟質ビニール相当の自由に形状が変わる押え板８を適用したことを特徴とする照明装置が提示されている。
【００１７】
照明体３のサイズや形状に関係なく、複数の照明体３を同時に簡単に固定することができるようにすることと照明体３そのものとして市販のビー玉やダイヤモンドカットされたものを使用できるようにする。
【００１８】
従来技術によれば、押え板の寸法を照明体３のサイズや形状に合わせて沢山の種類を製作する必要があり、また、個々に固定しなくてはならないため、吊天井裏面に照明体を固定するための溶植スタッド５が多量に必要となるので、この発明による実施の形態では、その本数を減らすものである。
【００１９】
さらに、照明体３を固定するための溶植スタッド５が、かご室ＣＲ内から照明体３越しに映る不具合をなくすこともできる。
【００２０】
そして、照明体３を押さえ固定する場合に、その押え板４を硬いアクリル板のような硬質部材とはせずに自由に形状の変形が可能な軟質ビニール相当の押え板８とそれを押さえる押え金具９で構成することによりサイズや形状に関係なく複数の照明体を同時に固定できるようにした。
【００２１】
この発明による実施の形態においては、照明体３のサイズや形状に関係なく、複数の照明体３を同時に簡単に固定することができるようになった。押え板の寸法を照明体３のサイズや形状に合わせて沢山の種類を製作する必要がなくなった。また、照明体３を個々に固定しなくてすむため、吊天井裏面に照明体を固定するための溶植スタッド５の本数を減らすことができて大幅な組み立て作業時間の削減ができる。
【００２２】
この発明による実施の形態によれば、蛍光灯等の光源２により照明されるビー玉やダイヤモンドカットされた透明体からなる照明体３と、エレベーターかご室ＣＲの吊り天井１からなる天井部分に設けられ前記照明体３の下部を上部円環状周縁Ｈａからなる開口周縁で支承する穴Ｈで構成される開口部と、前記照明体３をエレベーターかご室ＣＲの吊り天井１からなる天井部分に設けられた前記穴Ｈで構成される開口部の上部円環状周縁Ｈａからなる開口周縁との間で保持する伸縮性を示す透明体または半透明体の軟質ビニール等からなる軟質樹脂部材と、前記軟質ビニール等からなる軟質樹脂部材を吊り天井１からなる天井部分に固定する溶植スタッド５，ナット６，座金７，押え金具９からなる固定部材とを備え、前記軟質ビニール等からなる軟質樹脂部材は、前記照明体３への保持装着状態で伸長して装着され、前記照明体３を収縮力により吊り天井１からなる天井部分に設けられた前記穴Ｈで構成される開口部の上部円環状周縁Ｈａからなる開口周縁へ圧着固定するようにしたので、照明体のサイズや形状の多様化に対して柔軟かつ適切に対応できるエレベーターかご室天井の照明装置を得ることができる。
【図面の簡単な説明】
【００２３】
【図１】この発明による実施の形態における全体構成についてエレベーターかご室内から出入口側を見た縦断面図である。
【図２】この発明による実施の形態における吊天井部分の照明体を固定した構造を示す詳細縦断面図である。
【図３】この発明による実施の形態における吊天井部分の照明体を固定した構造の一例を示す詳細上面図である。
【図４】この発明による実施の形態における吊天井部分の照明体を固定した構造の他の例を示す詳細上面図である。
【図５】この発明による実施の形態における吊天井部分の照明体を固定した構造の更に他の例を示す詳細上面図である。
【符号の説明】
【００２４】
１  吊天井、２  蛍光灯（光源）、３  照明体、５  溶植スタッド、６  ナット、７  座金、８  押え板、９  押え金具。
【図１】
2005170610.tif 000003
【図２】
2005170610.tif 000004
【図３】
2005170610.tif 000005
【図４】
2005170610.tif 000006
【図５】
2005170610.tif 000007